(57)【要約】【課題】紙葉類取扱装置において、紙葉類の搬送路に対する検査の信頼性を向上させる技術を提供する。【解決手段】紙幣入出金装置１００は、紙幣を搬送する搬送路ｐ１〜ｐ９を備える。紙幣入出金装置１００の主制御部２００は、搬送路ｐ１〜ｐ９に残留している紙幣を検出または除去するために、搬送路ｐ１〜ｐ９に検査券１を巡回搬送させる搬送路検査処理を実行する。また、主制御部２００は、検査券１の使用履歴を示す検査券履歴情報や、紙幣判別部１３０によって取得する現在の検査券１の外観を示す情報に基づいて、検査券１の劣化状態を判定し、検査券１の使用を管理する。【選択図】図３
2014002510.tif 000002
【特許請求の範囲】
【請求項１】
紙葉類取扱装置であって、
紙葉類を搬送する搬送路と、
前記搬送路によって検査券を巡回搬送させ、前記搬送路の検査を実行する搬送路検査部と、
前記検査券の現在の状態を示す検査券情報に基づいて、前記搬送路検査部による前記検査券の使用を管理する検査券管理部と、
を備える、紙葉類取扱装置。
【請求項２】
請求項１記載の紙葉類取扱装置であって、
前記検査券管理部は、前記検査券の使用の履歴を表す履歴情報を、前記検査券情報として取得し、前記履歴情報に基づいて前記検査券の使用を決定する、紙葉類取扱装置。
【請求項３】
請求項１または請求項２記載の紙葉類取扱装置であって、
前記検査券管理部は、前記検査券の現在の外観を示す外観情報を前記検査券情報として取得し、前記外観情報に基づいて前記検査券の使用を決定する、紙葉類取扱装置。
【請求項４】
請求項１から請求項３のいずれか一項に記載の紙葉類取扱装置であって、
前記検査券管理部は、前記検査券情報に基づいて、前記検査券が所定の状態よりも劣化していると判定した場合には、前記搬送路検査部に前記検査券の使用を中止させる、紙葉類取扱装置。
【請求項５】
請求項４記載の紙葉類取扱装置であって、
前記搬送路検査部は、前記検査券管理部において前記検査券の使用を中止する決定がされた場合には、前記検査券に換えて、新たな検査券を、前記搬送路によって巡回搬送させる、紙葉類取扱装置。
【請求項６】
請求項１から請求項５のいずれか一項に記載の紙葉類取扱装置であって、
前記検査券管理部は、前記検査券情報に基づき、前記検査券の状態に応じた、前記検査券の使用に関するメッセージを報知する報知部を備える、紙葉類取扱装置。
【請求項７】
入出金取引を実行する自動現金取引装置であって、
前記紙葉類としての紙幣を前記搬送路によって搬送する、請求項１から請求項６のいずれか一項に記載の紙葉類取扱装置を備える、自動現金取引装置。
【請求項８】
紙葉類が搬送される搬送路を備え、前記搬送路に検査券を巡回搬送させて、前記搬送路を検査する紙葉類取扱装置の制御方法であって、
（ａ）前記検査券の現在の状態を示す検査券情報を取得する工程と、
（ｂ）前記検査券情報に基づいて、前記搬送路の検査の際の前記検査券の使用を決定する工程と、
を備える、制御方法。
【発明の詳細な説明】
【技術分野】
【０００１】
この発明は、紙葉類取扱装置に関する。
【背景技術】
【０００２】
金融機関等における顧客の入出金の際には、現金自動取引装置が用いられる。現金自動取引装置は、紙幣の入出金を取り扱う紙幣入出金装置を備えている。現金自動取引装置では、紙幣入出金装置の紙幣の搬送路において、紙幣が詰まるジャム障害などの障害が発生した場合には、紙幣入出金装置の復旧動作が実行される。この復旧動作の後には、ジャム障害が解消されていることや、搬送路に紙幣が残留していないことなど、搬送路が正常に復旧していることを確認するために、パトロール券とも呼ばれる検査券による搬送路の巡回が実行される（下記特許文献１等）。
【先行技術文献】
【特許文献】
【０００３】
【特許文献１】特開平１０−４９７２４号公報
【発明の概要】
【発明が解決しようとする課題】
【０００４】
ところで、紙幣入出金装置で使用される検査券は、繰り返し使用されている間に、折れ曲がったり、一部が欠損したり、表面が摩耗するなどの劣化が進行してしまう可能性がある。このように劣化した検査券では、搬送路上のセンサによる検査券の検出精度が低下し、検査券を正常に巡回させることができなくなる可能性がある。また、検査券によって搬送路上に滞留している紙幣を検出することが困難になる可能性もある。さらに、検査券自体が搬送路に詰まり、二次的なジャム障害を引き起こす可能性もある。
【０００５】
このように、従来の現金自動取引装置が備える紙幣入出金装置では、検査券の劣化状態によっては、搬送路の復旧の確認が確実に実行されなかったり、検査券によって、さらなる障害が引き起こされてしまう可能性があった。このような搬送路の信頼性に関わる問題は、現金自動取引装置における紙幣入出金装置に限らず、紙葉類の搬送路に、検査券に相当する紙葉類を搬送させて搬送路の復旧の確認を行う紙葉類取扱装置において共通する問題であった。
【０００６】
本発明は、上述の課題を解決するためになされたものであり、紙葉類取扱装置において、紙葉類の搬送路に対する信頼性を向上させる技術を提供することを目的とする。
【課題を解決するための手段】
【０００７】
本発明は、上述の課題の少なくとも一部を解決するためになされたものであり、以下の形態として実現することが可能である。
【０００８】
本発明に係る紙葉類取扱装置は、上記課題を解決するために、少なくとも、紙葉類を搬送する搬送路と；前記搬送路によって検査券を巡回搬送させ、前記搬送路の検査を実行する搬送路検査部と；前記検査券の現在の状態を示す検査券情報に基づいて、前記搬送路検査部による前記検査券の使用を管理する検査券管理部と；を備える。
【発明の効果】
【０００９】
本発明によれば、検査券管理部によって、搬送路検査部による検査券の使用が管理されるため、検査券による搬送路の検査を実行する際に、検査券の劣化等に起因する検査精度の低下や、搬送路における障害の発生を抑制することができる。従って、紙葉類取扱装置の紙幣の搬送路に対する信頼性を向上させることができる。
なお、上述した以外の本発明の課題や、構成、効果等については、以下の実施例や実施形態の説明において適宜説明する。
【図面の簡単な説明】
【００１０】
【図１】現金自動取引装置の構成を示す概略斜視図。
【図２】現金自動取引装置の制御構成を示す概略ブロック図。
【図３】現金自動取引装置が備える紙幣入出金装置の構成を示す概略図。
【図４】紙幣入出金装置の制御構成を示す概略ブロック図。
【図５】紙幣入出金装置において実行される自動復旧処理の処理手順を示す説明図。
【図６】自動復旧処理において実行される搬送路検査処理の処理手順を示す説明図。
【図７】自動復旧処理において実行される検査券検査処理の処理手順を示す説明図。
【図８】表示部に表示される警告メッセージの一例を示す概略図。
【図９】搬送路検査処理における検査券の巡回経路の一例を説明するための概略図。
【図１０】搬送路検査処理における検査券の巡回経路の一例を説明するための概略図。
【図１１】搬送路検査処理における検査券の巡回経路の一例を説明するための概略図。
【図１２】搬送路検査処理における検査券の巡回経路の一例を説明するための概略図。
【図１３】第２実施例における搬送路検査処理の処理手順を示す説明図。
【図１４】第２実施例における検査券検査処理の処理手順を示す説明図。
【図１５】第２実施例の検査券検査処理において表示部に表示されるメッセージの具体例を示す模式図。
【図１６】入金取引処理における紙幣の搬送経路を示す概略図。
【図１７】表示部に表示されるメッセージの一例を示す概略図。
【発明を実施するための形態】
【実施例１】
【００１１】
図１は本発明の一実施例としての現金自動取引装置の構成を示す概略斜視図である。なお、図１では、現金自動取引装置１０の筐体ＣＳの内部に配置されている構成部については破線で図示してある。この現金自動取引装置１０は、金融機関等に設置され、顧客との金銭の授受を伴う取引を実行する。
【００１２】
現金自動取引装置１０は、操作表示部１１と、通帳処理部１２と、カード明細票処理部１３と、本体制御部１４と、紙幣入出金装置１００と、を備える。操作表示部１１は、例えばタッチパネルによって構成することができ、顧客に対して取引に関する情報を表示するとともに、顧客からの文字入力や選択ボタン・決定ボタンの押下などの操作を受け付ける。
【００１３】
通帳処理部１２は、顧客との取引を開始する際に、顧客による通帳の挿入を受け付ける。また、通帳処理部１２は、取引を終了する際に、取引内容を示す情報を通帳に記録して顧客に返却する。カード明細票処理部１３は、顧客との取引を開始する際に、顧客によるキャッシュカードの挿入を受け付ける。また、カード明細票処理部１３は、取引を終了する際に、顧客に対してキャッシュカードを返却するとともに、取引内容に関する情報を記録した明細票を出力する。
【００１４】
本体制御部１４は、例えば、中央処理装置や主記憶装置を備えるマイクロコンピュータによって構成することができ、現金自動取引装置１０の各構成部の制御を実行する。紙幣入出金装置１００は、本体制御部１４の制御下において、顧客との間における紙幣の受け渡しを実行する紙幣取扱装置である。紙幣入出金装置１００は、現金自動取引装置１０の入出金口に対して紙幣の繰り入れ、および、繰り出しを実行可能なように配置されている。紙幣入出金装置１００の詳細な構成については後述する。
【００１５】
図２は、現金自動取引装置１０の制御構成を示す概略ブロック図である。上述した、操作表示部１１と、通帳処理部１２と、カード明細票処理部１３と、本体制御部１４と、紙幣入出金装置１００とは、内部バス１０ｂを介して互いに接続されている。
【００１６】
現金自動取引装置１０は、さらに、金融機関の係員の操作を受け付ける係員操作部１５や、外部機器との通信や接続を確立するためのインタフェース部１６、外部記憶装置１７などが、内部バス１０ｂを介して接続されている。この構成によって、現金自動取引装置１０は、顧客による操作に応じて入出金する現金取引処理を実行する。
【００１７】
図３は、現金自動取引装置１０が備える紙幣入出金装置１００の構成を示す概略図である。なお、図３では、紙面下方向が重力方向であり、紙面左右方向が水平方向である。また、図３には、紙面右側を現金自動取引装置１０の正面側（顧客が正対する側）とし、紙面左側を現金自動取引装置１０の背面側として図示してある。
【００１８】
紙幣入出金装置１００は、紙幣入出金口１１０と、複数の紙幣収納庫１２１〜１２５と、紙幣判別部１３０と、一時保留庫１４０と、紙幣回収庫１５０と、検査券格納庫１６０と、搬送路ｐ１〜ｐ９と、検知センサｓと、を備える。紙幣入出金口１１０は、顧客が紙幣の投入および取り出しが可能なように、紙幣入出金装置１００の正面側の上部において、上方に開口する開口部として設けられている。なお、紙幣入出金口１１０の内部は、紙幣投入口１１１と、紙幣取出口１１２と、に仕切られている。
【００１９】
第１〜第５の紙幣収納庫１２１〜１２５は、紙幣を積層された状態で収納する収納カセットであり、それぞれが紙幣入出金装置１００の本体から取り外し可能に構成されている。第１〜第５の紙幣収納庫１２１〜１２５は、紙幣入出金装置１００の下層において、順に、正面側から背面側へと一列に配列されている。紙幣入出金装置１００では、第１〜第５の紙幣収納庫１２１〜１２５をそれぞれ、以下のように使い分けている。
【００２０】
第１〜第３の紙幣収納庫１２１〜１２３にはそれぞれ、顧客との間で受け渡しされる紙幣が金種別に収納される。即ち、第１〜第３の紙幣収納庫１２１〜１２３は、紙幣の繰り入れと繰り出しとが行われる紙幣環流庫として機能する。以下では、第１〜第３の紙幣収納庫１２１〜１２３をそれぞれ、「第１〜第３の紙幣環流庫１２１〜１２３」とも呼ぶ。なお、第１〜第３の紙幣環流庫１２１〜１２３のそれぞれに収納される金種は任意に設定することができる。
【００２１】
第４の紙幣収納庫１２４には、紙幣入出金装置１００内を搬送されている紙幣から検出されたリジェクト紙幣が収納される。ここで、本明細書において、「リジェクト紙幣」とは、形状や汚れ・変色の度合いなどの状態が所定の基準を満たさず、取引対象として用いるのに適していない紙幣を意味する。以後、第４の紙幣収納庫１２４を「リジェクト庫１２４」とも呼ぶ。
【００２２】
第５の紙幣収納庫１２５には、第１〜第３の紙幣環流庫１２１〜１２３に装填するための補充用の紙幣が収納される。以後、第５の紙幣収納庫１２５を「装填庫１２５」とも呼ぶ。なお、紙幣入出金装置１００では、設定により、第１〜第５の紙幣収納庫１２１〜１２５の配置順序や機能を任意に変更することが可能である。例えば、第４の紙幣収納庫１２４や第５の紙幣収納庫１２５を紙幣環流庫として機能させることも可能である。
【００２３】
紙幣判別部１３０は、ＣＣＤイメージセンサ等の光学センサや磁気センサなどによって構成することができる。紙幣判別部１３０は、搬送中の紙幣について、その撮影画像や、光の反射強度、磁性体の分布を示す情報などを取得し、金種の判別や、リジェクト紙幣に該当するか否かの判別、偽造紙幣の検出を実行する。また、本実施例の紙幣入出金装置１００では、紙幣判別部１３０は、後述する搬送路検査処理において、搬送路ｐ１〜ｐ９を巡回する検査券１の劣化状態を検出するための情報を取得し、その劣化状態を検出するが、その詳細については後述する。
【００２４】
一時保留庫１４０は、入金取引において顧客から入金された紙幣を、取引が取り消されたときにそのまま顧客に返却できるように、一時的にまとめて保管しておくための収納庫である。紙幣回収庫１５０は、紙幣入出金口１１０の紙幣取出口１１２から回収された、顧客が取り忘れられた紙幣が収納される収納庫である。
【００２５】
検査券格納庫１６０は、紙幣の搬送路ｐ１〜ｐ９の検査に用いられる検査券１の格納庫である。紙幣入出金装置１００では、検査券１の巡回を自動で開始できるように、予備の検査券１を含む複数の検査券１が、検査券格納庫１６０に積層された状態で格納されている。なお、検査券１や、検査券１を用いた紙幣の搬送路の検査については後述する。
【００２６】
ここで、紙幣入出金装置１００では、紙幣入出金口１１０は、正面側の端部であって、第１と第２の紙幣収納庫１２１，１２２の上方に設けられている。一時保留庫１４０は、背面側の端部であって、第５の紙幣収納庫１２５の上方に設けられている。紙幣入出金口１１０と一時保留庫１４０とはほぼ同程度の高さ位置に設けられている。
【００２７】
また、紙幣判別部１３０は、紙幣入出金口１１０と一時保留庫１４０との間であって、紙幣入出金口１１０および一時保留庫１４０よりも低い位置において、第１の搬送路ｐ１の途中に設けられている。検査券格納庫１６０と紙幣回収庫１５０とは、紙幣入出金装置１００の背面側の端部において、一時保留庫１４０と第５の紙幣収納庫１２５との間に、検査券格納庫１６０を上側とし、紙幣回収庫１５０を下側として並列に設けられている。
【００２８】
紙幣入出金装置１００には、上述した各構成部を連結し、紙幣を双方向に搬送可能な搬送路ｐ１〜ｐ９が、搬送ベルトや搬送ローラによって、以下のように設けられている。第１の搬送路ｐ１は、検査券格納庫１６０の入口近傍から紙幣判別部１３０を経て紙幣入出金口１１０の下側まで延びる上段の経路と、上段の経路から下方に折り返し、各紙幣収納庫１２１〜１２５の上側を紙幣回収庫１５０の入口近傍まで延びる下段の経路と、を有するように形成されている。
【００２９】
第２の搬送路ｐ２は、紙幣入出金口１１０の紙幣投入口１１１と第１の搬送路ｐ１とを接続する搬送路であり、紙幣投入口１１１に投入された紙幣を一枚ずつ第１の搬送路ｐ１へと繰り出すことができる。第３の搬送路ｐ３は、一時保留庫１４０と第１の搬送路ｐ１とを接続する搬送路であり、一時保留庫１４０に対して、紙幣を１枚ずつ、繰り入れ・繰り出しすることができる。
【００３０】
第４の搬送路ｐ４は、第１の搬送路ｐ１と紙幣取出口１１２とを接続する搬送路である。第４の搬送路ｐ４は、一端が、紙幣判別部１３０と一時保留庫１４０との間において第１の搬送路ｐ１に接続され、紙幣判別部１３０の上方を経由して、他端が、紙幣入出金口１１０の紙幣取出口１１２に接続されている。
【００３１】
第５の搬送路ｐ５は、第１〜第５の紙幣収納庫１２１〜１２５のそれぞれの入口ごとに設けられており、第１の搬送路ｐ１と、各紙幣収納庫１２１〜１２５とを接続する。第５の搬送路ｐ５はそれぞれ、各紙幣収納庫１２１〜１２５に対して、紙幣を１枚ずつ、繰り入れ・繰り出しすることができる。第６の搬送路ｐ６は、紙幣回収庫１５０の入口と、第１の搬送路ｐ１とを接続するように設けられており、第１の搬送路ｐ１から紙幣回収庫１５０に対して、紙幣を、１枚ずつ繰り入れることができる。
【００３２】
第７の搬送路ｐ７は、検査券格納庫１６０の入口と、第１の搬送路ｐ１とを接続するように設けられており、検査券格納庫１６０において一番上に積層されている検査券１を第１の搬送路ｐ１へと繰り出すことができる。また、第７の搬送路ｐ７は、各搬送路ｐ１〜ｐ９を巡回した検査券１を、検査券格納庫１６０内に積層されている検査券１の一番上に戻すことができる。
【００３３】
第８の搬送路ｐ８は、上下二段で並列に延びる第１の搬送路ｐ１同士を接続する、上下方向に架設された搬送路である。第８の搬送路ｐ８は、第１の搬送路ｐ１の、紙幣判別部１３０と検査券格納庫１６０との間の部位と、紙幣回収庫１５０と第３の紙幣収納庫１２３に接続された第５の搬送路ｐ５との接続部との間の部位と、を接続している。
【００３４】
第９の搬送路ｐ９は、紙幣取出口１１２の近傍において、上下方向に架設された搬送路であり、第４の搬送路ｐ４と、第１の搬送路ｐ１とを接続している。なお、各搬送路ｐ１〜ｐ９の接続箇所にはそれぞれ、開閉動作によって、紙幣の搬送先を切替るゲートが設けられているが、その図示および詳細な説明は省略する。
【００３５】
検知センサｓは、磁気センサや光学センサなどによって構成することができ、各搬送路ｐ１〜ｐ９において搬送されている紙幣または検査券１を検出可能なように、各搬送路ｐ１〜ｐ９上の所定の部位に設けられている。検知センサｓは、例えば、各搬送路ｐ１〜ｐ９の接続部位の間や、各紙幣収納庫１２１〜１２５の入口近傍、紙幣判別部１３０の入口近傍などに設けられているものとしても良い。
【００３６】
図４は、紙幣入出金装置１００の制御構成を示す概略ブロック図である。紙幣入出金装置１００は、さらに、主制御部２００と、表示部２０５と、入出金口駆動部２１０と、収納庫駆動部２２０と、一時保留庫駆動部２４０と、回収庫駆動部２５０と、検査券格納庫駆動部２６０と、搬送路駆動部２７０と、センサ駆動部２８０と、不揮発性記憶部２９０と、を備える。これらの構成部２００〜２９０は、内部バス１００ｂを介して互いに接続されている。また、内部バス１００ｂには、図３で説明した紙幣判別部１３０が接続されている。
【００３７】
主制御部２００は、中央処理装置や主記憶装置を備えるマイクロコンピュータによって構成することができる。主制御部２００は、現金自動取引装置１０の内部バス１０ｂを介して、現金自動取引装置１０の本体制御部１４と接続されている。主制御部２００は、本体制御部１４の指示に従って、各種のプログラムを実行することにより、後述する取引処理を実行する取引処理実行部２０１や、後述する自動復旧処理を実行する復旧処理実行部２０２として機能する。
【００３８】
表示部２０５は、例えば、液晶パネルによって構成することができ、主制御部２００によって、金融機関の係員に対するメッセージ等を表示する。入出金口駆動部２１０は、主制御部２００の制御に従って、紙幣入出金口１１０に設けられた各可動部やセンサ類を駆動する。収納庫駆動部２２０は、主制御部２００の制御に従って、各紙幣収納庫１２１〜１２５に設けられた各可動部やセンサ類を駆動する。
【００３９】
一時保留庫駆動部２４０、回収庫駆動部２５０、検査券格納庫駆動部２６０はそれぞれ、主制御部２００の制御に従って、一時保留庫１４０、紙幣回収庫１５０、検査券格納庫１６０に設けられた各可動部やセンサ類を駆動する。搬送路駆動部２７０は、主制御部２００の制御に従って、各搬送路ｐ１〜ｐ９の駆動する。センサ駆動部２８０は、主制御部２００の制御に従って各検知センサｓを駆動する。
【００４０】
不揮発性記憶部２９０は、例えばハードディスクドライブなどの不揮発性記憶装置によって構成することができ、主制御部２００によって、処理の実行に用いられる各種のデータが格納される。なお、不揮発性記憶部２９０には、後述する搬送路検査処理において用いられるとともに更新される、検査券格納庫１６０に格納された各検査券１ごとの検査券履歴データが格納される。検査券履歴データの内容については後述する。
【００４１】
以上の構成により、紙幣入出金装置１００では、主制御部２００の制御によって、各種の取引処理が実行される。具体的には、紙幣入出金装置１００では、取引処理として、入金取引処理や、出金取引処理が、以下のように実行される。
【００４２】
入金取引処理は、紙幣投入口１１１に投入された顧客の紙幣を、各紙幣環流庫１２１〜１２３に、紙幣判別部１３０によって判別された金種に従って収納する処理である。入金取引処理では、取引が確定されるまでは、顧客から預かった紙幣は、各紙幣環流庫１２１〜１２３に収納される前に、一旦、一時保留庫１４０に収納される。そして、一時保留庫１４０の紙幣は、取引がキャンセルされた場合には、顧客に返却するために紙幣取出口１１２に搬出され、取引が確定された場合には、一時保留庫１４０の紙幣は各紙幣環流庫１２１〜１２３へと搬送される。
【００４３】
なお、入金取引処理では、紙幣判別部１３０によって、搬送中の紙幣の中からリジェクト紙幣が検出される。検出されたリジェクト紙幣は、取引の確定前であれば紙幣取出口１１２に搬送され、取引の確定後であればリジェクト庫１２４に搬送される。このように、リジェクト紙幣は、各紙幣環流庫１２１〜１２３に収納されることなく、取引対象から除外される。
【００４４】
出金取引処理は、顧客との取引額に応じた紙幣を、各紙幣環流庫１２１〜１２３から、紙幣取出口１１２へと繰り出す処理である。出金取引処理においても、紙幣判別部１３０によって、各紙幣環流庫１２１〜１２３から搬出された紙幣の中からリジェクト紙幣が検出される。リジェクト紙幣は、リジェクト庫１２４へと搬送され、取引対象から除外される。なお、出金取引処理の実行後に紙幣取出口１１２に紙幣が残っていることが検出された場合には、当該紙幣は、顧客が取り忘れた紙幣として、紙幣取出口１１２から紙幣回収庫１５０へと搬送して回収される。
【００４５】
さらに、紙幣入出金装置１００では、主制御部２００は、係員の操作に応じたタイミングや、取引処理の実行時以外の所定のタイミングにおいて、装填庫１２５の紙幣を、各紙幣環流庫１２１〜１２３へと補充する紙幣装填処理を実行する。また、紙幣入出金装置１００では、主制御部２００は、各紙幣環流庫１２１〜１２３の紙幣を装填庫１２５に回収する紙幣回収処理を実行する。
【００４６】
ところで、紙幣入出金装置１００では、上述した各処理の実行中に、紙幣が搬送路ｐ１〜ｐ９の途中で詰まるジャム障害や、その他の不具合に起因する各種の障害が発生する場合がある。そこで、主制御部２００は、そうした障害の発生が、検知センサｓを含む装置内の各センサによって検出された場合には、紙幣入出金装置１００を自動復旧させるために、以下に説明する自動復旧処理を実行する。
【００４７】
図５は、紙幣入出金装置１００において実行される自動復旧処理の処理手順を示す説明図である。ステップＳ１０では、主制御部２００は、所定の復旧処理を実行する。具体的には、例えば、紙幣入出金装置１００の再起動を実行する。所定の復旧処理では、各搬送路ｐ１〜ｐ９や、搬送路の途中に設けられたゲートなどの各可動部の空動作が実行されるものとしても良い。
【００４８】
ステップＳ２０では、主制御部２００は、ステップＳ１０の復旧処理によって、検出されていた障害が回復し、正常に復旧したか否かを判定する。具体的には、主制御部２００は、装置内の各センサからエラー信号が出力されていない場合に、正常に復旧したものと判定する。
【００４９】
障害が正常に復旧されていない場合には、主制御部２００は、ステップＳ１０の所定の復旧処理を再実行する。なお、ステップＳ１０の復旧処理を所定の回数繰り返しても依然として障害が回復されない場合には、主制御部２００は、表示部２０５を介して、係員に異常を通知し、自動復旧処理を強制終了する（異常終了）。
【００５０】
ステップＳ２０において、障害が正常に回復された場合には、主制御部２００は、障害の発生箇所が搬送路ｐ１〜ｐ９であったか否かを判定する（ステップＳ３０）。主制御部２００は、障害の発生箇所が搬送路ｐ１〜ｐ９ではなかった場合には、そのまま自動復旧処理を終了し、紙幣入出金装置１００の復旧が完了する。一方、障害の発生箇所が搬送路ｐ１〜ｐ９であった場合には、主制御部２００は、以下に説明する搬送路検査処理を開始する（ステップＳ４０）。
【００５１】
図６は、自動復旧処理において実行される搬送路検査処理の処理手順を示す説明図である。この搬送路検査処理では、主制御部２００は、検査券１を搬送路ｐ１〜ｐ９によって巡回させることにより、各搬送路ｐ１〜ｐ９が正常に復旧していることを確認する。
【００５２】
ここで、検査券１は、各搬送路ｐ１〜ｐ９によって搬送可能なように、紙幣と同程度のサイズで構成されたカード状の紙葉類である。検査券１が各搬送路ｐ１〜ｐ９の巡回を無事に完了できれば、各搬送路ｐ１〜ｐ９が正常に稼働していることや、各搬送路ｐ１〜ｐ９上には既に紙幣が残留していないことを検出できる。逆に、検査券１の巡回が途中で停止してしまった場合には、検査券１の巡回が停止された箇所においてジャム障害が生じていることを検出することができる。また、搬送路ｐ１〜ｐ９に紙幣が停滞している場合であっても、検査券１が、その紙幣を押し動かすことにより、その紙幣を搬送路ｐ１〜ｐ９上から除去することもできる。
【００５３】
ステップＳ１００では、主制御部２００は、各搬送路ｐ１〜ｐ９を巡回させる検査券１を準備する。具体的には、紙幣回収庫１６０（図３）において一番上に積層されている検査券１を、第７の搬送路ｐ７へと繰り出し可能な状態にする。また、主制御部２００は、その検査券１についての検査券履歴データを、不揮発性記憶部２９０（図４）から読み込み、取得する。
【００５４】
ここで、「検査券履歴データ」とは、検査券の使用履歴に基づく当該検査券が使用された度合いを表す情報である。検査券履歴データは、例えば、検査券が搬送路において搬送された累積距離や、検査券の使用期間、使用回数である。なお、検査券履歴データは、検査券１の巡回搬送中に主制御部２００によって常に更新される。
【００５５】
ところで、検査券１は、折れ曲がりや破れなどによって一部が欠損していたり、表面がすり減るなどして形態が劣化してしまう場合がある。この場合には、各検知センサｓによって搬送中の検査券１が正しく検出されず、主制御部２００が検査券１の巡回搬送を適切に制御できず、検査券１の巡回を正常に実行できなくなる可能性がある。また、検査券１が、搬送路上に停滞している紙幣に接触できず、その検出が確実に実行されない可能性もある。さらに、検査券１自体が搬送路ｐ１〜ｐ９に詰まり、ジャム障害を引き起こしてしまう可能性もある。
【００５６】
そこで、本実施例の紙幣入出金装置１００では、検査券１の巡回搬送を開始する前に、主制御部２００が、使用する検査券１についての検査を実行して、検査券１の使用を管理する検査券検査処理を実行する（ステップＳ１１０）。検査券検査処理では、主制御部２００は、ステップＳ１００において取得した検査券履歴データと、紙幣判別部１３０によって取得される検査券１の外観上の状態を示す情報とを用いて、検査券１の劣化状態を判定し、検査券１の使用を決定する。これによって、劣化状態が著しい検査券を搬送路ｐ１〜ｐ９の巡回搬送に使用してしまうことを回避し、搬送路ｐ１〜ｐ９の検査精度を確保するとともに、検査券１に起因する障害の発生を未然に防止する。
【００５７】
なお、検査券１の巡回搬送を開始する前に実行されるステップＳ１１０の検査券検査処理を、以後、「第１の検査券検査処理」とも呼ぶ。検査券検査処理の具体的な処理内容については後述する。
【００５８】
ステップＳ１２０では、主制御部２００は、検査券１による各搬送路ｐ１〜ｐ９の巡回を開始する。ここで、検査券１は、各搬送路ｐ１〜ｐ９を巡回している間にも、劣化が生じたり、蓄積されてしまう可能性がある。そこで、本実施例の紙幣入出金装置１００では、検査券１が紙幣判別部１３０を通過するたびに、ステップＳ１１０の第１の検査券検査処理と同様な処理を実行する（ステップＳ１３０）。以後、検査券１の巡回搬送中に実行される検査券検査処理を「第２の検査券検査処理」とも呼ぶ。
【００５９】
検査券１の所定の巡回経路の搬送が完了し（ステップＳ１４０）、検査券１が検査券格納庫１６０に格納されると、主制御部２００は、更新された検査券１の検査券履歴データを不揮発性記憶部２９０に格納する（ステップＳ１５０）。このように、検査券１の搬送が無事に完了することにより、主制御部２００は、搬送路ｐ１〜ｐ９の復旧が確認されたものとして、搬送路検査処理を終了するとともに、自動復旧処理（図５）を完了する（正常終了）。即ち、この場合には、紙幣入出金装置１００の自動復旧が完了する。
【００６０】
なお、検査券１の巡回中に、検知センサｓによって検査券１が検出されなくなるなどの異常が発生した場合には、主制御部２００は、搬送路ｐ１〜ｐ９に異常が発生しているものとして、係員に対する通知処理を実行する（ステップＳ１４０の破線矢印）。具体的には、主制御部２００は、表示部２０５によって、係員に対し、異常の発生およびその発生箇所を通知する。この場合には、主制御部２００は、搬送路検査処理と、自動復旧処理（図５）とを強制終了する（異常終了）。
【００６１】
図７は、自動復旧処理において実行される検査券検査処理の処理手順を示す説明図である。ステップＳ２１０，Ｓ２２０では、主制御部２００は、検査券１の状態が巡回搬送に適した良好な状態であるか否かを、検査券履歴データや、紙幣判別部１３０のセンサによって取得される検査券１の外観を示す情報に基づいて判定する。なお、検査券１の良好な状態とは、検査券１の劣化の度合いが所定の基準より少ない状態である。
【００６２】
ステップＳ２１０では、主制御部２００は、検査券履歴データに基づき、検査券１の使用の度合いが所定の基準より高い場合には、検査券１が良好な状態ではない（ＮＯ  ＧＯＯＤ）と判定する。より具体的には、検査券履歴データが、検査券１の累積搬送距離や使用回数、使用時間である場合には、それらの値が所定の基準値より大きいときに、検査券１が使用に適さず、良好な状態ではないと判定する。
【００６３】
一方、主制御部２００は、検査券履歴データに基づく判定において、検査券１の使用の度合いが所定の基準を満たし、良好な状態（ＧＯＯＤ）であると判定された場合には、ステップＳ２２０において、紙幣判別部１３０によって検出される情報に基づく判定を実行する。なお、第１の検査券検査処理（図６のステップＳ１１０）の場合には、主制御部２００は、検査券１を一旦、検査券格納庫１６０から紙幣判別部１３０に搬送した上で、この判定処理を実行する。
【００６４】
ステップＳ２２０では、主制御部２００は、紙幣判別部１３０に、検査券１の外観上の状態を示す情報を取得させ、その劣化状態を検出する。具体的には、紙幣判別部１３０の光学センサの走査によって検査券１の形状を取得し、検査券１の基準の形状からのサイズの変化量を検出したり、検査券１の欠損部位の大きさを検出するものとしても良い。また、検査券１に予め磁性インクにより記録しておいたテストパターンやマークを、磁気センサや光学センサによって読み取り、そのテストパターンやマークの変化の大きさ識別性の低下の度合いを検出するものとしても良い。
【００６５】
主制御部２００は、紙幣判別部３００によって検出された検査券１の外観上の劣化状態が、予め設定された検査券１の使用基準を満たしている場合には、検査券１が使用に適した良好な状態である（ＧＯＯＤ）と判定する。この場合には、主制御部２００は、その検査券１を用いた搬送路検査処理（図６）を継続する。一方、検査券１の外観上の劣化状態が基準を満たさず、使用に適していない状態ではない（ＮＯ  ＧＯＯＤ）と判定した場合には、主制御部２００は、表示部２０５によって係員に対する警告を表示する（ステップＳ２３０）。
【００６６】
図８は、ステップ２３０において、表示部２０５に表示される警告メッセージの一例を示す概略図である。主制御部２００は、ステップＳ２３０において、検査券１が劣化しており、使用限界に到達している可能性を警告し、検査券１の交換や補充を促すメッセージＭ１を、表示部２０５に表示する。なお、このメッセージＭ１には、検査券１の劣化状態を示す情報が表示されるものとしても良い。
【００６７】
このように、本実施例の紙幣入出金装置１００では、検査券履歴データに基づく判定と、紙幣判別部１３０による判定との少なくとも一方において、検査券１が良好な状態ではない、と判定された場合には、検査券１についての警告処理が実行される。なお、第１の検査券検査処理（図６のステップＳ１１０）では、ステップＳ２２０の紙幣判別部１３０による判定処理が省略されるものとしても良い。
【００６８】
ステップＳ２４０（図７）では、主制御部２００は、検査券格納庫１６０に設けられたセンサによって、検査券格納庫１６０に検査券１の在庫の有無を検出する。検査券格納庫１６０に検査券１の在庫がある場合には、主制御部２００は、現在の検査券１をリジェクト庫１２４に搬送する（ステップＳ２６０）。そして、搬送路検査処理を再起動し、検査券格納庫１６０にある次の検査券１を用いて搬送路の検査を新たに開始する（図６のステップＳ１００）。
【００６９】
ステップＳ２４０において、検査券格納庫１６０に検査券１の在庫がないことが検出された場合には、主制御部２００は、係員が予め設定した設定情報を参照して、現在の検査券１を継続して使用するか否かを決定する（ステップＳ２５０）。係員が予め検査券１の継続使用を設定していた場合には、主制御部２００は、現在の検査券１のまま、搬送路検査処理を続行する。
【００７０】
一方、検査券１の継続使用が設定されていなかった場合には、主制御部２００は、表示部２０５を介して検査券１の予備が無いことを係員に通知し、検査券検査処理および搬送路検査処理を強制終了させる。なお、この場合には、主制御部２００は、検査券格納庫１６０に対して検査券１の補充がされたことが検出されたときに、搬送路検査処理を再起動するものとしても良い。
【００７１】
このように、本実施例の紙幣入出金装置１００では、搬送路検査処理において、劣化が著しい検査券１の使用が抑制されるため、搬送路検査処理の異常終了の発生を抑制することができる。そのため、自動復旧処理（図５）による紙幣入出金装置１００の自動復旧率を向上させることができる。
【００７２】
図９〜図１２は、搬送路検査処理における検査券１の巡回経路の一例を説明するための概略図である。図９〜図１２にはそれぞれ、図３と同様な紙幣入出金装置１００の概略図に、検査券１の搬送経路を実線矢印または一点破線の矢印によって図示してある。なお、図９〜図１２では、便宜上、各搬送路ｐ１〜ｐ９を二重破線で図示してある。
【００７３】
図９は、搬送路検査処理における第１の検査券検査処理（ステップＳ１００）が実行される際の検査券１の搬送経路を示している。第１の検査券検査処理では、前記したとおり、検査券格納庫１６０において準備された検査券１が紙幣判別部１３０まで搬送された上で、紙幣判別部１３０による検査券１の状態判定処理（図７のステップＳ２２０）が実行される。そのため、この段階では、検査券１は、まず、検査券格納庫１６０から第７の搬送路ｐ７を介して、第１の搬送路ｐ１に繰り出され、紙幣判別部１３０まで搬送される（実線矢印）。
【００７４】
なお、第１の検査券検査処理において、現在の検査券１の状態が良好ではなく、次の新しい検査券１を使用することが決定された場合には、現在の検査券１は、紙幣判別部１３０からリジェクト庫１２４へと搬送される（一点鎖線の矢印）。具体的には、検査券１は、紙幣判別部１３０を出た後、第１の搬送路ｐ１を介して、リジェクト庫１２４に接続された第５の搬送路ｐ５まで搬送され、リジェクト庫１２４に収納される。なお、第２の検査券検査処理において、新たな検査券１の使用が決定された場合にも、検査対象であった検査券１は、同様な経路でリジェクト庫１２４へと搬送される。
【００７５】
図１０〜図１２には、第１の検査券検査処理の後の検査券１の巡回搬送経路の例を順に示している。第１の検査券検査処理の劣化状態判定を通過した検査券１は、紙幣判別部１３０を通過した後、第１の搬送路ｐ１から第９の搬送路ｐ９を経て、第４の搬送経路ｐ４と紙幣取出口１１２との接続部へと搬送される（図１０）。そして、搬送方向が切り返されて、紙幣判別部１３０の上方を経由して、第１の搬送路ｐ１の紙幣判別部１３０へと再び戻る。
【００７６】
紙幣判別部１３０を再び通過した検査券１は（図１１）、第１の搬送路ｐ１から第２の搬送路ｐ２へと搬送され、第２の搬送路ｐ２を往復して、再び、第１の搬送路ｐ１へと戻る。そして、検査券１は、第１の搬送路ｐ１の折り返し部位を経て、下段の第１の搬送路ｐ１へと搬送され、第１〜第４の紙幣収納庫１２１〜１２４のそれぞれに接続された第５の搬送路ｐ５をそれぞれ往復しつつ、紙幣入出金装置１００の背面側へと搬送される。第４の紙幣収納庫１２４より背面側に到達した検査券１は、第５の紙幣収納庫１２５に接続された第５の搬送路ｐ５を往復して第１の搬送路ｐ１に戻り、さらに、紙幣回収庫１５０に接続された第６の搬送路ｐ６を往復して第１の搬送路ｐ１に戻る。
【００７７】
第６の搬送路ｐ６から第１の搬送路ｐ１に戻った検査券１は（図１２）、第８の搬送路ｐ８を経由して、上段の第１の搬送路ｐ１へと搬送される。そして、第１の搬送路ｐ１において正面側へと向かい、紙幣判別部１３０を通過して、第９の搬送路ｐ９に搬送される。検査券１は、第９の搬送路ｐ９を介して搬送方向を切り返した後、第１の搬送路ｐ１において、背面側へと向かい、再び紙幣判別部１３０を通過する。検査券１は、さらに、一時保留庫１４０に接続されている第３の搬送路ｐ３へと搬送され、第３の搬送路ｐ３を往復した後、第７の搬送路ｐ７を経て、検査券格納庫１６０に格納される。
【００７８】
このような搬送経路によって、検査券１を、全搬送路ｐ１〜ｐ９を通過させることができ、搬送路ｐ１〜ｐ９における残留紙幣やジャム紙幣の検出・除去を、より確実に実行することができる。なお、検査券１は、上記の巡回経路に限らず、他の巡回経路で搬送されるものとしても良い。
【００７９】
以上のように、本実施例の現金自動取引装置１０であれば、紙幣入出金装置１００が、検査券１によって紙幣の搬送路を検査する搬送路検査処理において、検査券１の現在の状態に基づき検査券１の使用を管理する検査券検査処理を実行する。これによって、検査券１の劣化に起因して搬送路の検査精度が低下したり、搬送路の検査中に新たな障害が発生してしまうことを防止することができ、現金自動取引装置１０における紙幣の搬送路の信頼性を向上させることができる。また、現金自動取引装置１０の紙幣の搬送路における障害発生からの復旧性を向上させることができる。
【実施例２】
【００８０】
図１３は、本発明の第２実施例としての紙幣入出金装置において実行される搬送路検査処理の処理手順を示す説明図である。図１３は、ステップＳ１００，Ｓ１５０が省略されている点以外は、図６とほぼ同じである。なお、第２実施例の紙幣入出金装置の構成は、第１実施例の紙幣入出金装置１００と同じであり（図３，図４）、第１実施例の紙幣入出金装置１００と同様な取引処理や、自動復旧処理（図５）を実行する。
【００８１】
第２実施例の紙幣入出金装置では、搬送路検査処理中で実行される検査券検査処理において、第１実施例で説明した検査券履歴データに基づく検査券１の劣化状態の判定は実行せず、紙幣判別部１３０による検出情報に基づく判定のみを実行する。そのため、第２実施例の搬送路検査処理では、第１実施例で説明した検査券履歴データに関する工程（ステップＳ１００，Ｓ１５０）については実行が省略されている。
【００８２】
図１４は、第２実施例の紙幣入出金装置において実行される検査券検査処理の処理手順を示す説明図である。第２実施例の紙幣入出金装置では、検査券検査処理において、検査券１の劣化の度合いを判定する状態レベル判定を実行する（ステップＳ３００）。具体的には、主制御部２００は、紙幣判別部１３０によって、検査券１の形態について初期の形態からの変化の大きさを劣化の度合いとして検出し、その劣化の度合いの大きさが、予め設定された３段階のレベルのいずれに属するかを判定する。
【００８３】
主制御部２００は、検査券１の劣化の度合いが少ない、「良好」のレベルの場合には、現在の検査券１による巡回搬送を継続しても問題ないものとして、現在の検査券１の使用を用いて、搬送路検査処理を続行する。主制御部２００は、検査券１の劣化の度合いが、使用限界に到達しないまでも、使用の継続に差し支えない範囲である「可」のレベルの場合には、現在の検査券１が使用限界に近いことを、表示部２０５を介して、係員に警告する（ステップＳ３１０）。そして、その警告処理を実行した上で、現在の検査券１を用いて、搬送路検査処理を続行する。
【００８４】
主制御部２００は、検査券１の劣化の度合いが著しく大きく、使用限界に到達している「不可」のレベルであると判定された場合には、ステップＳ３２０以降の処理を実行する。具体的には、主制御部２００は、表示部２０５を介して、係員に検査券１が使用限界に到達していることを警告する（ステップＳ３２０）。そして、検査券格納庫１６０における検査券１の在庫の有無を検出する（ステップＳ３３０）。
【００８５】
検査券格納庫１６０に検査券１の在庫があることが検出された場合には、主制御部２００は、現在の検査券１をリジェクト庫１２４へと搬送する（ステップＳ３４０）。そして、新たな検査券１を用いた搬送路検査処理を実行するために、搬送路検査処理を再起動する（図１３のステップＳ１１０）。一方、検査券格納庫１６０に検査券１の在庫が無いことが検出された場合には、主制御部２００は、表示部２０５を介して、係員に、検査券１の補充を促すメッセージを通知する（ステップＳ３５０）。そして、検査券１の補充が確認された後に、搬送路検査処理を再起動する。
【００８６】
図１５は、第２実施例の検査券検査処理において、表示部２０５にお表示されるメッセージの具体例を示す模式図である。図１５の紙面上段には、検査券検査処理のステップＳ３１０において表示されるメッセージＭ３の一例を図示してある。メッセージＭ３には、前記したとおり、検査券１の劣化状態が使用限界に近づいているメッセージや、検査券のチェックや交換・補充を促すメッセージが示される。なお、メッセージＭ３には、検査券１の現在の状態を示す情報が表示されるものとしても良い。
【００８７】
図１５の紙面中段には、検査券検査処理のステップＳ３２０において表示されるメッセージＭ４の一例を図示してある。メッセージＭ４では、検査券１が使用限界に到達しており、検査券の交換を実行する旨が示される。図１５の紙面下段には、検査券検査処理のステップＳ３５０において表示されるメッセージＭ５の一例を図示してある。メッセージＭ５には、検査券格納庫１６０に検査券１の在庫がない警告が示されるとともに、検査券格納庫１６０への検査券１の補充を促すメッセージが示される。
【００８８】
以上のように、第２実施例の紙幣入出金装置では、検査券検査処理において、検査券１の劣化状態の度合いに応じて、異なるメッセージが通知される。従って、検査券１の交換や補充などの作業を、検査券１が使用限界に到達する前に事前に行っておくことができ、検査券１の劣化状態に起因する搬送路の復旧性の低下を未然に防止できる。
【００８９】
＜参考：紙幣取扱装置における紙幣の搬送経路の具体例＞
なお、以下では、入金取引処理の実行時における、紙幣入出金装置１００の紙幣の搬送経路の具体例を、参考までに説明する。
【００９０】
図１６は、入金取引処理実行時における紙幣入出金装置１００の紙幣の搬送経路を示す概略図である。図１６の紙面左側と右側にはそれぞれ、図１２と同様な紙幣入出金装置１００の概略図を図示してある。なお、図１６では、通常の紙幣の搬送経路を実線の矢印で図示してあり、リジェクト紙幣の搬送経路を一点鎖線の矢印で図示してある。
【００９１】
入金取引処理では、顧客によって紙幣投入口１１１に投入された紙幣は、第２の搬送路ｐ２を介して第１の搬送路ｐ１へと一枚ずつ繰り出される（紙面左側の図）。そして、第１の搬送路ｐ１に繰り出された紙幣は、紙幣判別部１３０を通過して、第３の搬送路ｐ３を介して、一時保留庫１４０に収納される。なお、このとき、紙幣判別部１３０では、リジェクト紙幣の検出が実行される。紙幣判別部１３０において検出されたリジェクト紙幣は、紙幣判別部１３０を通過した後、第４の搬送路ｐ４を介して、紙幣取出口１１２に搬送され、顧客に返却される。
【００９２】
一時保留庫１４０への紙幣の収納が完了した後に、顧客による取引確定の操作などによって、入金取引が確定された場合には、一時保留庫１４０の紙幣は、第３の搬送路ｐ３を介して、第１の搬送路ｐ１へと一枚ずつ繰り出される（紙面右側の図）。第１の搬送路ｐ１へと繰り出された紙幣は、紙幣判別部１３０によって金種が判別された後、その金種に応じて、対応する紙幣環流庫１２１〜１２３に、第５の搬送路ｐ５を介して収納される。なお、この段階で紙幣判別部１３０によって検出されたリジェクト紙幣は、第１〜第３の紙幣環流庫１２１〜１２３の入口を通過して、リジェクト庫１２４へと収納される。
【００９３】
＜変形例＞
本発明は上記の実施例や実施形態に限られるものではなく、その要旨を逸脱しない範囲において種々の態様において実施することが可能である。例えば、本発明の実施例や実施形態は、上記実施例や実施形態で説明した構成の全てを備えていなくとも良く、一部の構成を省略したり、他の構成に置換したりすることも可能である。また、上記実施例や実施形態の構成に、さらに、他の構成を追加することも可能である。さらに、上記実施例や実施形態の各構成部、機能、処理部、処理手段等の全部または一部は、集積回路などのハードウェアによって実現されるものとしても良いし、プロセッサ等によって実行されるコンピュータプログラム等のソフトウェアや、本発明の実施のためのデータベース、テーブル、ファイル等の情報を記録した記録媒体等の形態で実現されるものとしても良い。なお、本発明は、上記の実施例や実施形態以外に、種々の形態で実現することが可能であり、例えば、紙幣を含む紙葉類を取り扱う紙葉類取扱装置、紙葉類取扱装置における紙葉類の搬送路の検査方法、搬送路の検査に用いられる検査券の検査方法、紙葉類取扱装置の制御方法および制御装置として実現することが可能である。また、本発明の上記実施例または実施形態は、次のような変形も可能である。
【００９４】
［１］変形例１：
上記実施例の紙幣入出金装置では、紙幣判別部１３０が検査券１の劣化状態を検出する機能を備えていた。しかし、紙幣入出金装置には、紙幣判別部以外の、検査券１の劣化状態を検出できる専用の構成部が、紙幣の搬送路上や検査券格納庫１６０に設けられるものとしても良い。ただし、上記の構成であれば、紙幣判別部１３０の有する金種判別機能やリジェクト紙幣の判別機能を、検査券１の劣化状態の検出に流用できるため効率的である。
【００９５】
ところで、上記実施例の紙幣入出金装置では、主制御部２００が実行するプログラムを切り替えることによって、紙幣判別部１３０に、前記したような、紙幣の金種等を判別する紙幣判別機能と、検査券１の外観上の状態を検出する検査券検査機能とを切り替えて発揮させることができる。紙幣判別機能を実現するためのプログラムは、複数種類の紙幣についての金種や、その疲弊度、真偽を識別するために、紙幣についての多種・多様な情報を処理する。これに対して、検査券検査機能を実現するためのプログラムは、検査券１の外観に現れる劣化状態を検出するのみであり、紙幣の判別機能を実現するプログラムに比較して、少ない情報量を処理する。また、検査券検査機能を実現するためのプログラムは、紙幣判別機能を実現するためのプログラムの有する機能の一部を流用して構成することもできる。そのため、検査券検査機能を実現するためのプログラムは、紙幣判別機能を実現するためのプログラムよりも簡易なプログラムとして構成することができ、その作成も容易である。このように、上記の実施例によれば、主制御部２００が実行する簡易なプログラムの追加によって、紙幣の搬送路の復旧性を確実に向上させることが可能である。
【００９６】
［２］変形例２：
上記実施例では、紙幣入出金装置を自動復旧させるための自動復旧処理において、検査券の現在の状態に応じて検査券の使用が管理される搬送路検査処理が実行されていた。しかし、搬送路検査処理は、自動復旧処理の実行過程以外の任意のタイミングで実行されるものとしても良い。搬送路検査処理は、例えば、取引処理が実行されていないときに、ユーザの操作によって開始されるものとして良い。
【００９７】
［３］変形例３：
上記第１実施例の検査券検査処理では、検査券１に対して、検査券履歴データに基づく判定処理と、紙幣判別部１３０による判定処理とが実行されていた。しかし、第１実施例の検査券検査処理では、検査券履歴データに基づく判定処理と、紙幣判別部１３０による判定処理のうちの少なくとも一方のみが実行されるものとしても良く、他の方法によって、あるいは、他の方法と組み合わせて、検査券１の劣化状態が判定されるものとしても良い。
【００９８】
［４］変形例４：
上記第２実施例の検査券検査処理では、検査券１に対して、紙幣判別部１３０によって、劣化の度合いをレベル分けするレベル判定処理が実行されていた。しかし、上記第２実施例の検査券検査処理では、紙幣判別部１３０によるレベル判定処理に換えて、検査券履歴データに基づくレベル判定処理が実行されるものとしても良い。あるいは、上記第２実施例の検査券検査処理では、検査券履歴データに基づく判定と、紙幣判別部１３０による判定とを組み合わせてレベル判定を実行するものとしても良い。また、上記第２実施例の検査券検査処理では、検査券履歴データに基づく判定と、紙幣判別部１３０による判定以外の、他の方法によってレベル判定処理が実行されるものとしても良い。
【００９９】
［５］変形例５：
上記第１実施例の検査券検査処理（図７）では、主制御部２００は、ステップＳ２５０において、係員によって予め設定された設定情報に基づいて、検査券１の継続使用を決定していた。しかし、主制御部２００は、ステップＳ２５０において、例えば、図１７のようなメッセージＭ６を表示し、係員から検査券１を継続使用するか否かを決定する操作を受け付けるものとしても良い。また、主制御部２００は、検査券１が劣化しており、良好な状態ではないと判定した場合には、常に、検査券１の使用を中止するものとしても良い。
【０１００】
［６］変形例６：
上記第２実施例では、検査券１の劣化状態を３段階のレベルに分けるレベル判定処理を実行していた。しかし、検査券１の劣化状態は、さらに複数のレベルに分けられるものとしても良い。また、上記第２実施例の検査券検査処理では、検査券１の劣化状態のレベルに応じて、異なる種類のメッセージを表示する警告処理や、検査券１の交換処理が実行されていた。しかし、第２実施例の検査券検査処理では、検査券１の劣化状態のレベルに応じて、警告処理や検査券１の交換処理以外の処理が実行されるものとしても良い。
【０１０１】
［７］変形例７：
上記実施例では、紙幣入出金装置１００は、現金自動取引装置１０に搭載されていた。紙幣入出金装置１００は、現金自動取引装置１０に搭載されていなくとも良く、他の装置に搭載されているものとしても良い。また、紙幣入出金装置１００は、単体で、金融機関において顧客とテラーとの間に配置され、紙幣の受け渡しを実行する取引装置として用いられるものとしても良い。
【０１０２】
［８］変形例８：
上記実施例では、紙幣入出金装置は、検査券１を格納する検査券格納庫１６０を備えていた。しかし、検査券格納庫１６０は省略されるものとしても良い。この場合には、検査券１は、搬送路検査処理の実行の度に、紙幣投入口１１１などから、紙幣の搬送路に投入されるものとしても良い。
【０１０３】
［９］変形例９：
上記実施例では、検査券１によって全ての搬送路ｐ１〜ｐ９の巡回検査を実行していたが、検査券１による巡回検査は全ての搬送路ｐ１〜ｐ９に対して実行されなくとも良い。検査券１による巡回検査は特定の一部の搬送路に対してのみ実行されるものとしても良い。
【０１０４】
［１０］変形例１０：
上記実施例では、検査券検査処理において検査券１が使用の基準を満たしていないと判定され、検査券１の在庫が有った場合には、新たな検査券１に切り替えて搬送路検査処理が再開されていた。しかし、検査券１の切り替えは実行されなくとも良い。この場合には、例えば、検査券１の劣化状態についての警告処理のみが実行されるものとしても良い。
【符号の説明】
【０１０５】
１…検査券
１０…現金自動取引装置
１０ｂ…内部バス
１１…操作表示部
１２…通帳処理部
１３…カード明細票処理部
１４…本体制御部
１５…係員操作部
１６…インタフェース部
１７…外部記憶装置
１００…紙幣入出金装置
１００ｂ…内部バス
１１０…紙幣入出金口
１１１…紙幣投入口
１１２…紙幣取出口
１２１〜１２３…第１〜第３の紙幣環流庫（第１〜第３の紙幣収納庫）
１２４…リジェクト庫（第４の紙幣収納庫）
１２５…装填庫（第５の紙幣収納庫）
１３０…紙幣判別部
１４０…一時保留庫
１５０…紙幣回収庫
１６０…検査券格納庫
２００…主制御部
２０１…取引処理実行部
２０２…復旧処理実行部
２０５…表示部
２１０…入出金口駆動部
２２０…収納庫駆動部
２４０…一時保留庫駆動部
２５０…回収庫駆動部
２６０…検査券格納庫駆動部
２７０…搬送路駆動部
２８０…センサ駆動部
２９０…不揮発性記憶部
ＣＳ…筐体
Ｍ１…メッセージ
Ｍ３…メッセージ
Ｍ４…メッセージ
Ｍ５…メッセージ
Ｍ６…メッセージ
ｐ１〜ｐ９…搬送路
ｓ…検知センサ
【図１】
2014002510.tif 000003
【図２】
2014002510.tif 000004
【図３】
2014002510.tif 000005
【図４】
2014002510.tif 000006
【図５】
2014002510.tif 000007
【図６】
2014002510.tif 000008
【図７】
2014002510.tif 000009
【図８】
2014002510.tif 000010
【図９】
2014002510.tif 000011
【図１０】
2014002510.tif 000012
【図１１】
2014002510.tif 000013
【図１２】
2014002510.tif 000014
【図１３】
2014002510.tif 000015
【図１４】
2014002510.tif 000016
【図１５】
2014002510.tif 000017
【図１６】
2014002510.tif 000018
【図１７】
2014002510.tif 000019